(57)【要約】【課題】プラズマ表示装置を提供する。【解決手段】本発明は、プラズマ表示パネル、前記プラズマ表示パネルの一側に備えられるシャーシーベース、前記シャーシーベースの一側に備えられる駆動回路部、前記プラズマ表示パネルの電極と前記駆動回路部を電気的に連結するフレキシブル回路、及び前記フレキシブル回路に連結されるドライバー集積回路を含み、前記ドライバー集積回路と前記シャーシーベースの間に第１熱伝導性シリコン樹脂が備えられるプラズマ表示装置を提供する。これにより、放熱効率が向上して製作工程が短縮され、騒音が低減する効果がある。【選択図】図２
2009037179.tif 000002
【特許請求の範囲】
【請求項１】
プラズマ表示パネル；
前記プラズマ表示パネルの一側に備えられるシャーシーベース；
前記シャーシーベースの一側に備えられる駆動回路部；
前記プラズマ表示パネルの電極と前記駆動回路部を電気的に連結されるフレキシブル回路；及び
前記フレキシブル回路に連結されるドライバー集積回路；
を含み、
前記ドライバー集積回路と前記シャーシーベースの間に第１熱伝導性シリコン樹脂が備えられることを特徴とする、プラズマ表示装置。
【請求項２】
前記ドライバー集積回路は前記フレキシブル回路の一側面から前記シャーシーベースに向かって突出し、
前記第１熱伝導性シリコン樹脂は前記ドライバー集積回路の突出面を全て囲むことを特徴とする、請求項１に記載のプラズマ表示装置。
【請求項３】
前記第１熱伝導性シリコン樹脂は酸化アルミニウム、酸化亜鉛及び酸化チタンのうちの少なくとも一つを含むことを特徴とする、請求項２に記載のプラズマ表示装置。
【請求項４】
前記フレキシブル回路の他側面と離隔される位置に放熱プレートが備えられ、前記ドライバー集積回路と前記放熱プレートの間に第２熱伝導性シリコン樹脂が備えられることを特徴とする、請求項３に記載のプラズマ表示装置。
【請求項５】
前記ドライバー集積回路は前記フレキシブル回路の他側面から前記放熱プレートに向かって突出し、
前記第２熱伝導性シリコン樹脂は前記ドライバー集積回路の突出面を全て囲むことを特徴とする、請求項４に記載のプラズマ表示装置。
【請求項６】
前記第２熱伝導性シリコン樹脂は酸化アルミニウム、酸化亜鉛及び酸化チタンのうちの少なくとも一つを含むことを特徴とする、請求項５に記載のプラズマ表示装置。
【請求項７】
前記シャーシーベースは、
前記プラズマ表示パネルの一側に付着するメインシャーシー；及び
前記メインシャーシーから伸び、前記プラズマ表示パネルから離隔されるサブシャーシー；
を含み、
前記第１熱伝導性シリコン樹脂は前記サブシャーシーに付着することを特徴とする、請求項６に記載のプラズマ表示装置。
【請求項８】
前記サブシャーシーは、
前記メインシャーシーの一面から突出し、前記プラズマ表示パネルから遠くなる方向に伸びる第１突出部；
前記メインシャーシーと平行な方向に前記第１突出部から伸びる平行部；及び
前記平行部から前記プラズマ表示パネルに向かって突出する第２突出部；
を含むことを特徴とする、請求項７に記載のプラズマ表示装置。
【請求項９】
前記ドライバー集積回路は前記第２突出部に対向するように形成されることを特徴とする、請求項８に記載のプラズマ表示装置。
【請求項１０】
前記フレキシブル回路はＴＣＰであることを特徴とする、請求項９に記載のプラズマ表示装置。
【請求項１１】
プラズマ表示パネル；
前記プラズマ表示パネルの一側に備えられるシャーシーベース；
前記シャーシーベースの一側に備えられる駆動回路部；
前記プラズマ表示パネルの電極と前記駆動回路部を電気的に連結するフレキシブル回路；及び
前記フレキシブル回路に連結されるドライバー集積回路；
を含み、
前記ドライバー集積回路は前記フレキシブル回路上で常時シャーシーベースの反対側に突出し、
前記ドライバー集積回路と前記シャーシーベースの間に提供されて、前記ドライバー集積回路の突出した部分を囲む第２熱伝導性シリコン樹脂を含むことを特徴とする、プラズマ表示装置。
【請求項１２】
前記ドライバー集積回路に対応する前記フレキシブル回路と前記シャーシーベースの間に提供される第１熱伝導性シリコン樹脂を更に含むことを特徴とする、請求項１１に記載のプラズマ表示装置。
【請求項１３】
前記第１熱伝導性シリコン樹脂及び前記第２熱伝導性シリコン樹脂は酸化アルミニウム、酸化亜鉛及び酸化チタンのうちの少なくとも一つを含むことを特徴とする、請求項１２に記載のプラズマ表示装置。
【発明の詳細な説明】
【技術分野】
【０００１】
本発明はプラズマ表示装置に係り、より詳しくは、ドライバー集積回路を熱伝導性シリコン樹脂（グリースも可）で囲む構造を取ることによって放熱効率が向上して製作工程が短縮され、騒音が低減するプラズマ表示装置に関するものである。
【背景技術】
【０００２】
公知のように、プラズマ表示装置は気体放電によって、生成されたプラズマを用いて、プラズマ表示パネル（ＰＤＰ）に映像を表示する装置である。
【０００３】
このようなプラズマ表示装置にあって、ＰＤＰの電極は一般にフレキシブル回路（Ｆｌｅｘｉｂｌｅ  Ｐｒｉｎｔｅｄ  Ｃｉｒｃｕｉｔ；ＦＰＣ）を通じて、駆動回路部に電気的に連結される。また、フレキシブル回路にはドライバー集積回路（ＩＣ）が形成されるが、ドライバー集積回路は駆動回路部から伝えられる制御信号に応じてＰＤＰの放電セルに選択的に電圧を印加する。
【０００４】
フレキシブル回路とドライバー集積回路の連結構造では、ドライバー集積回路が印刷回路基板（ＰＣＢ）の上に備えられるＣＯＢ（Ｃｈｉｐ  Ｏｎ  Ｂｏａｒｄ）があって、フレキシブル回路を構成するフィルム上にドライバー集積回路が備えられるＣＯＦ（Ｃｈｉｐ  Ｏｎ  Ｆｉｌｍ）もある。最近は小型でありながら低価格であったＴＣＰ（Ｔａｐｅ  Ｃａｒｒｉｅｒ  Ｐａｃｋａｇｅ）が使用される傾向にある。
【０００５】
ＴＣＰを用いればＣＯＦを使用する場合に比べて費用を節減することができる。反面ＴＣＰの場合、ドライバー集積回路の大きさが小さくて放熱機構がないためＣＯＦに比べて、放熱特性が低い。
【０００６】
従って、従来はドライバー集積回路の一側面とシャーシーベース（又はシャーシーベース上の補強部材）の間にサーマルグリースを塗布または挿入する一方、ドライバー集積回路の他側面には放熱パッドを備え、放熱パッドに放熱プレートを付着させて、熱を放出する方法を採択した。
【０００７】
しかしながら、従来技術による場合、放熱パッドの放熱効果が微々であり、サーマルグリースを塗布する作業が不便で工程が長くなる問題点があった。
【発明の開示】
【発明が解決しようとする課題】
【０００８】
本発明の課題は、ドライバー集積回路の前面及び後面に熱伝導性シリコン樹脂を直接塗布することによってドライバー集積回路の放熱効果が増大して製作工程が短縮されるプラズマ表示装置を提供することにある。
【０００９】
また、本発明はドライバー集積回路の前面及び後面に熱伝導性シリコン樹脂を塗布することによってパネルで発生する振動及び騒音を低減させるプラズマ表示装置を提供することにある。
【課題を解決するための手段】
【００１０】
本発明の一実施例によるプラマ表示装置は、プラズマ表示パネル、前記プラズマ表示パネルの一側に備えられるシャーシーベース、前記シャーシーベースの一側に備えられる駆動回路部、前記プラズマ表示パネルの電極と前記駆動回路部を電気的に連結するフレキシブル回路、及び前記フレキシブル回路に連結されるドライバー集積回路を含み、前記ドライバー集積回路と前記シャーシーベースの間に第１熱伝導性シリコン樹脂が備えられてもよい。
【００１１】
前記ドライバー集積回路は前記フレキシブル回路の一側面から前記シャーシーベースに向かって、突出し、前記第１熱伝導性シリコン樹脂は前記ドライバー集積回路の突出面を全て囲むように形成される。
【００１２】
前記第１熱伝導性シリコン樹脂は酸化アルミニウム、酸化亜鉛及び酸化チタンのうちの少なくとも一つを含むことができる。
【００１３】
前記フレキシブル回路の他側面と離隔される位置に放熱プレートが備えられ、前記ドライバー集積回路と前記放熱プレートの間に第２熱伝導性シリコン樹脂が備えられてもよい。
【００１４】
前記ドライバー集積回路は前記フレキシブル回路の他側面から前記放熱プレートに向かって、突出し、前記第２熱伝導性シリコン樹脂は前記ドライバー集積回路の突出面を全て囲むように形成される。
【００１５】
前記第２熱伝導性シリコン樹脂は酸化アルミニウム、酸化亜鉛及び酸化チタンのうちの少なくとも一つを含むことができる。
【００１６】
前記シャーシーベースは、前記プラズマ表示パネルの一側に付着するメインシャーシー、及び前記メインシャーシーから伸び、前記プラズマ表示パネルから離隔されるサブシャーシーを含み、前記第１熱伝導性シリコン樹脂は前記サブシャーシーに付着する。
【００１７】
前記サブシャーシーは、前記メインシャーシーの一面から突出し、前記プラズマ表示パネルから遠くなる方向に伸びる第１突出部、前記メインシャーシーと平行な方向に前記第１突出部から伸びる平行部、及び前記平行部から前記プラズマ表示パネルに向かって突出する第２突出部を含むことができる。
【００１８】
前記ドライバー集積回路は前記第２突出部に対向するように形成できる。
【００１９】
前記フレキシブル回路はＴＣＰであってもよい。
【００２０】
また、本発明の一実施例によるプラズマ表示装置は、プラズマ表示パネル、前記プラズマ表示パネルの一側に備えられるシャーシーベース、前記シャーシーベースの一側に備えられる駆動回路部、前記プラズマ表示パネルの電極と前記駆動回路部を電気的に連結するフレキシブル回路、及び前記フレキシブル回路に連結されるドライバー集積回路を含み、前記ドライバー集積回路は前記フレキシブル回路上で常時シャーシーベースの反対側に突出し、前記ドライバー集積回路と前記シャーシーベースの間に提供されていて、前記ドライバー集積回路の突出した部分を囲む第２熱伝導性シリコン樹脂を含むことができる。
【００２１】
また、本発明の一実施例によるプラズマ表示装置は、前記ドライバー集積回路に対応する前記フレキシブル回路と前記シャーシーベースの間に提供される第１熱伝導性シリコン樹脂を更に含むことができる。
【発明の効果】
【００２２】
本発明によれば、ドライバー集積回路の放熱効果が向上してプラズマ表示装置の製作工程が短縮され、また、ＰＤＰで発生した振動を熱伝導性シリコン樹脂が吸収して、騒音が低減する効果がある。
【発明を実施するための最良の形態】
【００２３】
以下、本発明の実施例を添付した図面を参照して、詳しく説明する。先ず各図面の構成要素に参照符号を付加することにおいて、同一な構成要素に対してはたとえ他の図面上に表示されてもできるだけ同一な符号を持つようにしていることに留意しなければならない。また、本発明を説明することにおいて、関連した公知構成又は機能に対する具体的な説明が本発明の要旨をぼかすこともあると判断される場合にはその詳細な説明を省略する。
【００２４】
図１は本発明の一実施例によるプラズマ表示装置の一部分解斜視図であり、図２は図１のＩＩ−ＩＩ線に沿った断面図である。
【００２５】
図１及び図２を参照すれば、本発明の実施例によるプラズマ表示装置はＰＤＰ１１、放熱シート１３、シャーシーベース１５及び回路ボードアセンブリー１７を含んで構成される。
【００２６】
ＰＤＰ１１は前面基板（１１ａ）と背面基板（１１ｂ）を含み、気体放電を用いて画像を表示するものである。ＰＤＰ１１の一般的な構成及び機能は既に知られたようである。一方、本発明の実施例はＰＤＰ１１自体に関するものでなく、ＰＤＰ１１に連結される別途の構成要素に関するものであるので、ＰＤＰ１１の一般的な構成要素に関する具体的な説明は省略する。
【００２７】
放熱シート１３はＰＤＰ１１の背面に備えられてＰＤＰ１１の内部で発生する熱を外部に放出する。放熱シート１３はアクリル系放熱材、グラファイト系放熱材、金属系放熱材、又は炭素ナノチューブ系放熱材のように多様な材質で作られてもよい。
【００２８】
シャーシーベース１５は両面テープ１４でＰＤＰ１１の背面に付着してＰＤＰ１１を支持する。
【００２９】
シャーシーベース１５はＰＤＰ１１の背面に重畳されるメインシャーシー１５１とメインシャーシー１５１の下端から延長形成されるサブシャーシー１５２を含む。
【００３０】
サブシャーシー１５２はメインシャーシー１５１の背面から突出する第１突出部１５３、メインシャーシー１５１と平行な方向に第１突出部１５３から伸びる平行部１５４、平行部１５４からＰＤＰ１１を向かって突出する第２突出部１５５を含む。
【００３１】
平行部１５４はＰＤＰ１１から離隔されて形成されるのでその間に一定した大きさの空間が形成される。
【００３２】
回路ボードアセンブリー１７はシャーシーベース１５の背面に装着されてＰＤＰ１１に電気的に連結される。回路ボードアセンブリー１７はシャーシーベース１５に多数備えられるボス１８に置かれ、このボス１８に締結されるセットスクリュー１９によって固定される。
【００３３】
回路ボードアセンブリー１７は維持電極（図示せず）を制御する維持電極駆動ボード（１７ａ）、走査電極（図示せず）を制御する走査電極駆動ボード（１７ｂ）、アドレス電極１２を制御するアドレスバッファーボード（１７ｃ）、外部から映像信号を受信して、アドレス電極１２の駆動に必要な制御信号と維持電極及び走査電極駆動に必要な制御信号を生成して、当該ボードアセンブリーに印加するロジックボード（１７ｄ）、及びこのボードアセンブリーの駆動に必要な電源を供給するパワーサプライボード（１７ｅ）を含む。
【００３４】
アドレスバッファーボード（１７ｃ）はフレキシブル回路２７を通じて、アドレス電極１２に連結される。アドレスバッファーボード（１７ｃ）は印刷回路基板でつくられてもよい。
【００３５】
一方、フレキシブル回路２７はアドレス電極１２に印加される制御信号を発生させるドライバー集積回路２５を実装したＴＣＰで形成できる。
【００３６】
ドライバー集積回路２５はフレキシブル回路２７の一側面からシャーシーベース１５を向かって突出でき、フレキシブル回路２７の他側面から放熱プレート３１を向かって突出してもよい。便宜上、図２にはドライバー集積回路２５がフレキシブル回路２７の両側に突出する構成が例示されている。
【００３７】
本実施例においてはドライバー集積回路２５がシャーシーベース１５の第２突出部１５５に対向するものと例示されているので、以下ではこれを例に挙げて説明するが、本発明のドライバー集積回路２５の配置がこれに限定されるものではない。
【００３８】
ドライバー集積回路２５で発生する熱を放出できるようにドライバー集積回路２５は熱伝導性シリコン樹脂４０で覆われる。一方、熱伝導性シリコン樹脂４０は酸化アルミニウム、酸化亜鉛、酸化チタンなどの熱伝導性充填剤を含むことができる。熱伝導性充填剤は単独で又は二種類以上含むことができる。
【００３９】
ドライバー集積回路２５と第２突出部１５５の間には第１熱伝導性シリコン樹脂４１が備えられ、ドライバー集積回路２５と放熱プレート３１の間には第２熱伝導性シリコン樹脂４２が具備される。
【００４０】
第１熱伝導性シリコン樹脂４１はフレキシブル回路２７及びドライバー集積回路２５を覆うＴＣＰフィルム（図示せず）に直接塗布され、ドライバー集積回路２５の突出した部分を完全に囲むように形成される。また、第１熱伝導性シリコン樹脂４１はシャーシーベース１５の第２突出部１５５に接着される。
【００４１】
一方、前述したようにサブシャーシー１５２の平行部１５４はＰＤＰ１１から所定距離だけ離隔されるので平行部１５４とＰＤＰ１１の背面の間には所定の放熱空間（Ｓ）が具備される。従って、ドライバー集積回路２５で発生した熱が第１熱伝導性シリコン樹脂４１を通じて、第２突出部１５５に伝えられて、第２突出部１５５から放熱空間（Ｓ）に熱が容易に放出できる。
【００４２】
第２熱伝導性シリコン樹脂４２またドライバー集積回路２５の突出した部分を完全に囲むように形成されて放熱プレート３１に接着される。
【００４３】
ドライバー集積回路２５を囲む第１熱伝導性シリコン樹脂４１と第２熱伝導性シリコン樹脂４２はドライバー集積回路の両側に密着するサーマルグリースと放熱パッドを適用する従来の技術に比べて、少なくとも２〜３℃の温度低減効果を確認することができた。
【００４４】
一方、熱伝導性シリコン樹脂４０は熱硬化性物質であるのでドライバー集積回路２５に塗布された後に硬化する。熱伝導性シリコン樹脂４０が硬化した後にフレキシブル回路２７をシャーシーベース１５及び放熱プレート３１に装着する過程で熱伝導性シリコン樹脂４０を第２突出部１５５と放熱プレート３１に結合させる。
【００４５】
一方、従来の技術による場合ドライバー集積回路とシャーシーベースを対向するようにした後にサーマルグリースを塗布したが、この場合、作業が不便で工程が遅延する問題点があった。
【００４６】
反面、本実施例による場合、フレキシブル回路２７のドライバー集積回路２５に既に熱伝導性シリコン樹脂４０が塗布されて硬化した状態で熱伝導性シリコン樹脂４０を第２突出部１５５と放熱プレート３１にそれぞれ接着するばかりならばよいので工程が簡素化されて短縮される効果がある。
【００４７】
また、本発明の熱伝導性シリコン樹脂４０はＰＤＰ１１で発生する多様な振動を吸収することができるので騒音を低減させてもよい。つまり、ＰＤＰ１１で発生した振動がアドレス電極１１２を通じて、フレキシブル回路２７に伝えられるが、フレキシブル回路２７及びドライバー集積回路２５に塗布された熱伝導性シリコン樹脂４０が振動を吸収できるものである。同様に、ＰＤＰ１１で発生した振動がシャーシーベース１５を通じて伝えられてから第１熱伝導性シリコン樹脂４１で吸収されてもよい。
【００４８】
図３は本発明の第２実施例によるプラズマ表示装置の断面図である。
【００４９】
ドライバー集積回路２５はフレキシブル回路２７上でシャーシーベース１５の反対側に向かって突出する。従って、第１熱伝導性シリコン樹脂５１はフレキシブル回路２７とシャーシーベース１５の間に位置して、第２熱伝導性シリコン樹脂４２はドライバー集積回路２５と放熱プレート３１の間に位置する。
【００５０】
第１熱伝導シリコン樹脂５１はドライバー集積回路２５に対応するフレキシブル回路２７でシャーシーベース１５側に放熱作用して、第２熱伝導シリコン樹脂４２は突出したドライバー集積回路２５の全ての部分を囲んで、放熱プレート３１側に放熱作用する。
【００５１】
以上、本発明を例示的に説明したことに過ぎないものであり、当業者は本発明の本質的な特性から外れない範囲で多様な修正及び変形を行うことができるものである。また、本発明の保護範囲は特許請求の範囲によって解釈されるべきであり、それと同等な範囲内にある全ての技術思想は本発明の権利範囲に含むものと解釈されなければならない。
【図面の簡単な説明】
【００５２】
【図１】本発明の第１実施例によるプラズマ表示装置の一部分解斜視図である。
【図２】図１のＩＩ−ＩＩ線に沿った断面図である。
【図３】本発明の第２実施例によるプラズマ表示装置の断面図である。
【符号の説明】
【００５３】
１１  ＰＤＰ
１２  アドレス電極
１５  シャーシーベース
２５  ドライバー集積回路
２７  フレキシブル回路
３１  放熱プレート
４０  熱伝導性シリコン樹脂
４１、５１  第１熱伝導性シリコン樹脂
４２  第２熱伝導性シリコン樹脂
１５１  メインシャーシー
１５２  サブシャーシー
１５３  第１突出部
１５４  平行部
１５５  第２突出部
Ｓ  放熱空間
【図１】
2009037179.tif 000003
【図２】
2009037179.tif 000004
【図３】
2009037179.tif 000005